(57)【要約】【課題】単純な機構で構成することができる給紙装置及びこの給紙装置を備える画像形成装置を提供する。【解決手段】本発明の給紙部２００（Ａ）は、給紙ローラ５１０、レジストローラ５３０、駆動源、ピニオンギア５４０、支持板５６０及びリンク部材５５０を備える。給紙ローラ５１０は、１回転するごとに、用紙積載部に積載された用紙を１枚ずつ搬送路へ繰り出す。レジストローラ５３０は、正転時に搬送路５７０へ繰り出された用紙を下流側に搬送する。駆動源は、レジストローラ５３０に供給すべき回転を発生する。ピニオンギア５４０は、駆動源の回転をレジストローラ５３０に正転方向の回転として選択的に伝達する。支持板５６０は、ピニオンギア５４０を支持し、給紙部２００（Ａ）に揺動自在に支持される。リンク部材５５０は、給紙ローラ５１０が１回転する間の所定の回転角度範囲で給紙ローラ５１０の回転を支持板５６０に伝達する。【選択図】図３
2008308280.tif 000002
【特許請求の範囲】
【請求項１】
１回転するごとに、用紙積載部に積載された用紙を１枚ずつ搬送路へ繰り出す給紙ローラと、
正転時に前記搬送路へ繰り出された用紙を下流側に搬送するレジストローラと、
前記レジストローラに供給すべき回転を発生する駆動源と、
前記駆動源の回転を前記レジストローラに正転方向の回転として選択的に伝達する第１の伝達手段と、
前記第１の伝達手段を支持する支持部材であって、装置本体に揺動自在に支持された支持部材と、
前記給紙ローラが１回転する間の所定の回転角度範囲で前記給紙ローラの回転を前記支持部材に伝達するリンク部材と、を備え、
前記リンク部材は、前記給紙ローラの回転開始後に、前記搬送路へ繰り出された用紙が先端を前記レジストローラに当接させて所定量の撓みを生じるまでの所定時間が経過した時から、少なくとも前記用紙の後端が前記レジストローラを通過するまでの間に、前記第１の伝達手段が前記駆動源の回転を前記レジストローラに伝達するように前記支持部材を揺動させる給紙装置。
【請求項２】
前記支持部材に支持されて前記レジストローラの回転を選択的に規制するブレーキ手段をさらに備え、
前記リンク部材は、前記給紙ローラの回転開始時から前記所定時間が経過するまでの間に、前記ブレーキ手段が前記レジストローラの回転を規制するように前記支持部材を揺動させる請求項１に記載の給紙装置。
【請求項３】
前記支持部材に支持されて前記駆動源の回転を前記レジストローラに逆転方向の回転として選択的に伝達する第２の伝達手段をさらに備え、
前記リンク部材は、前記給紙ローラの回転開始時から前記所定時間が経過するまでの間に、前記第２の伝達手段が前記駆動源の回転を前記レジストローラに伝達するように前記支持部材を揺動させる請求項１に記載の給紙装置。
【請求項４】
前記支持部材に支持されて前記レジストローラの慣性力による回転を抑制する摩擦部材をさらに備え、
前記リンク部材は、前記第２の伝達手段が前記駆動源の回転を前記レジストローラに伝達するまでの間に、前記摩擦部材が前記レジストローラの当接部に当接するように前記支持部材を揺動させる請求項３に記載の給紙装置。
【請求項５】
請求項１〜４のいずれかに記載の給紙装置を備え、前記給紙装置から給紙された用紙に画像形成部で画像を形成する画像形成装置。
【発明の詳細な説明】
【技術分野】
【０００１】
本発明は、用紙積載部に積載された用紙を１枚ずつ給紙する給紙装置及びこの給紙装置を備えた画像形成装置に関する。
【背景技術】
【０００２】
画像形成装置における用紙積載部から画像形成部へ用紙を搬送する際に、用紙搬送の初期の段階で幅方向に搬送のズレが生じると、用紙がスキューして搬送され、用紙が撓んだり、用紙ジャムが発生したりといった不具合の原因となる。
【０００３】
上記課題を解決するために、用紙の幅方向中央部分にのみ接する短いローラである給紙ローラとレジストローラとを備え、給紙ローラとレジストローラとを交互に駆動させるようにして、スキューして搬送された用紙を旋回させて用紙のスキューを補正する給紙装置が提案されている（例えば、特許文献１参照。）。
【特許文献１】特開平０６−１４４６５７号公報
【発明の開示】
【発明が解決しようとする課題】
【０００４】
しかしながら、特許文献１に記載された従来技術では、給紙ローラとレジストローラとを交互に駆動させるために、複数の駆動源やソレノイドを追加する必要があり、複雑な機構となり、その結果製造コストが上がる。
【０００５】
本発明の目的は、駆動源やソレノイドが少数で済む単純な機構で構成することができ、製造コストを低く抑えることのできる給紙装置及びこの給紙装置を備える画像形成装置を提供することにある。
【課題を解決するための手段】
【０００６】
本発明の給紙装置は、給紙ローラ、レジストローラ、駆動源、第１の伝達手段、支持部材及びリンク部材を備える。給紙ローラは、１回転するごとに、用紙積載部に積載された用紙を１枚ずつ搬送路へ繰り出す。レジストローラは、正転時に搬送路へ繰り出された用紙を下流側に搬送する。駆動源は、レジストローラに供給すべき回転を発生する。第１の伝達手段は、駆動源の回転をレジストローラに正転方向の回転として選択的に伝達する。支持部材は、第１の伝達手段を支持し、装置本体に揺動自在に支持される。リンク部材は、給紙ローラが１回転する間の所定の回転角度範囲で給紙ローラの回転を支持部材に伝達する。
【０００７】
リンク部材は、給紙ローラの回転開始後に、搬送路へ繰り出された用紙が先端をレジストローラに当接させて所定量の撓みを生じるまでの所定時間が経過した時から、少なくとも用紙の後端がレジストローラを通過するまでの間に、第１の伝達手段が駆動源の回転をレジストローラに伝達するように支持部材を揺動させる。
【０００８】
この構成では、それぞれの構成要素が連動するため、複数の駆動源やソレノイドを追加する必要がない。
【０００９】
この構成において、支持部材に支持されてレジストローラの回転を選択的に規制するブレーキ手段を備えてもよい。リンク部材は、給紙ローラの回転開始時から所定時間が経過するまでの間に、ブレーキ手段がレジストローラの回転を規制するように支持部材を揺動させる。ブレーキ手段がレジストローラの回転を規制するタイミングは、リンク部材の形状を調整することで遅らせることができるので、連続印字の際の用紙間隔を狭くすることができ、感光体ドラムの回転速度を上げずに、画像形成速度を向上させることができる。
【００１０】
また、支持部材に支持されて駆動源の回転をレジストローラに逆転方向の回転として選択的に伝達する第２の伝達手段を備えてもよい。リンク部材は、給紙ローラの回転開始時から所定時間が経過するまでの間に、第２の伝達手段が駆動源の回転をレジストローラに伝達するように支持部材を揺動させる。第２の伝達手段がレジストローラの回転を逆転するタイミングは、リンク部材の形状を調整することで遅らせることができるので、連続印字の際の用紙間隔を狭くすることができ、感光体ドラムの回転速度を上げずに、画像形成速度を向上させることができる。
【００１１】
さらに、支持部材に支持されてレジストローラの慣性力による回転を抑制する摩擦部材を備えてもよい。リンク部材は、第２の伝達手段が駆動源の回転をレジストローラに伝達するまでの間に、摩擦部材がレジストローラの当接部に当接するように支持部材を揺動させる。第２の伝達手段が駆動源の回転をレジストローラに直接伝達する場合、互いに過度の負荷がかかることがあるが、摩擦部材を介在させることで、負荷を低減できる。
【００１２】
本発明の給紙装置は、レーザ方式の画像形成装置やインクジェット方式の画像形成装置に限定されず、さまざまな方式の画像形成装置に用いることができる。
【発明の効果】
【００１３】
本発明における給紙装置の駆動制御機構は、レジストローラに供給すべき回転を発生する駆動源が１つと、給紙ローラの回転を制御するソレノイドが１つあれば成り立つ。よって、駆動源やソレノイドが少数で済む単純な機構で構成されることにより、製造コストを低く抑えることができる。
【発明を実施するための最良の形態】
【００１４】
以下、本発明の最良の実施形態に係る給紙装置及びこの給紙装置を備える画像形成装置を、図面を参照にしつつ詳細に説明する。
【００１５】
図１は、本発明の実施形態に係る給紙装置が適用される画像形成装置の断面図である。本発明の画像形成装置１００は、給紙部２００、画像形成部３００及び排紙部４００から構成されている。給紙部２００は、本発明の給紙装置に相当する。
【００１６】
給紙部２００は、給紙トレイ１１０、給紙ローラ１２０、レジストローラ対１３０，１３１を備えている。給紙トレイ１１０は、本発明の用紙積載部に相当する。
【００１７】
給紙トレイ１１０には、同じサイズの複数枚の用紙が積載される。
【００１８】
給紙ローラ１２０は、矢印方向である時計回りに回転し、給紙トレイ１１０から１枚ずつ用紙を繰り出す。
【００１９】
レジストローラ対１３０，１３１は、用紙搬送路２１０に繰り出された用紙を、画像形成部３００に搬送する。
【００２０】
画像形成部３００は、感光体ドラム１７０、帯電ローラ１４０、露光装置１５０、現像ローラ１６０、転写ローラ１８０及び定着ローラ対１９０，１９１を備えている。
【００２１】
感光体ドラム１７０は、表面に感光層が形成されており、矢印方向である時計回りに回転する。
【００２２】
帯電ローラ１４０は、感光体ドラム１７０の表面を所定の電位に均一に帯電させる。帯電ローラ１４０は、ローラによる接触方式以外にも、ブラシによる接触方式、又はチャージャによる非接触方式の何れを用いてもよい。
【００２３】
露光装置１５０は、感光体ドラム１７０の表面に画像データに基づく光を照射する。これによって、感光体ドラム１７０の表面には、感光層における光導電作用によって静電潜像が形成される。露光装置１５０は、画像データに基づいて変調されたレーザ光をポリゴンミラーを介して感光体ドラム１７０の軸方向に走査する。これに代えて、ＥＬやＬＥＤ等の発光素子をアレイ状に配置した露光装置を用いることもできる。
【００２４】
現像ローラ１６０は、感光体ドラム１７０の表面にトナーを供給し、静電潜像をトナー像に可視像化する。
【００２５】
転写ローラ１８０は、感光体ドラム１７０に圧接するように備えられている。転写ローラ１８０には、所定の転写電圧が印加され、感光体ドラム１７０を通過する用紙に、感光体ドラム１７０が担持するトナー像が転写される。
【００２６】
定着ローラ対１９０，１９１は、用紙に転写されたトナー像を加熱、加圧し、トナー像を用紙に定着させる。
【００２７】
排紙部４００には、画像形成部３００から搬送されてきた用紙が排紙される。
【００２８】
図２は、本発明の実施形態に係る給紙装置の動作機構を表した図である。動作機構８００は、ソレノイド７００、支持部７４０、給紙ローラ１２０の隣接ギア７１０（以下、隣接ギア７１０とする。）、バネ７３０及び駆動ギア７２０から構成されている。
【００２９】
ソレノイド７００は、電磁石７０１、フレーム７０２及びフラッパ７０３を備えている。電磁石７０１は、フレーム７０２に固定されている。フレーム７０２は、給紙部２００に支持されている。フラッパ７０３は、フレーム７０２によって支点７０４を中心に揺動自在に支持されている。フラッパ７０３は、磁性体である。
【００３０】
支持部７４０は、給紙部２００から給紙部２００の内部へ突出している。支持部７４０には、バネ７３０の一端が巻き付いている。
【００３１】
隣接ギア７１０は、給紙部２００に軸支されている。隣接ギア７１０は、突起部７５０と凸部７６０とを備えている。突起部７５０は、隣接ギア７１０の回転面に対して垂直方向に突出している。突起部７５０には、バネ７３０の一端が巻き付いている。凸部７６０は、隣接ギア７１０の回転面に対して平行方向に突出している。隣接ギア７１０が回転すると、隣接ギア７１０に噛合する給紙ローラ１２０の図示しないギアが回転し、給紙ローラ１２０が回転する。
【００３２】
バネ７３０は、支持部７４０と突起部７５０とに張架されている。支持部７４０は不動部材であるが、突起部７５０は隣接ギア７１０においての連動部材であるため、バネ７３０は隣接ギア７１０を矢印方向である反時計回りに回転させる力を供給する。
【００３３】
駆動ギア７２０は、給紙部２００に軸支されている。駆動ギア７２０は、図示しないモータから回転を供給され、常時矢印方向である時計回りに回転している。図示しないモータは、本発明の駆動源に相当する。駆動ギア７２０は、隣接ギア７１０と噛合する位置に配置されている。
【００３４】
隣接ギア７１０は、バネ７３０の張力によって反時計回りに回転しようとする。しかし、凸部７６０がフラッパ７０３に当接しているため、隣接ギア７１０は停止している。この停止位置における隣接ギア７１０の駆動ギア７２０側は、歯がなく滑らかな部位となっている。よって隣接ギア７１０は、駆動ギア７２０から回転を伝達されることなく停止している。
【００３５】
図示しない制御部が電磁石７０１に電流を流すと、電磁石７０１が磁力を帯び、フラッパ７０３が電磁石７０１に向かって回動する。フラッパ７０３が凸部７６０から離間するため、フラッパ７０３による抑止を失った隣接ギア７１０は、バネ７３０の張力によって矢印方向である反時計回りに回転を始める。制御部は、電流を一瞬だけしか流さないため、凸部７６０がフラッパ７０３の下部を通過してから一周するまでの間に、フラッパ７０３は電磁石７０１から離間して元の位置に戻る。
【００３６】
隣接ギア７１０が所定位置まで回転すると、隣接ギア７１０の歯が駆動ギア７２０の歯と噛合する。駆動ギア７２０の回転が隣接ギア７１０に伝達されるため、隣接ギア７１０は、反時計回りの回転を続ける。隣接ギア７１０が一周すると、隣接ギア７１０の滑らかな部位が駆動ギア７２０との噛合位置に位置し、駆動ギア７２０の回転は隣接ギア７１０に伝達されなくなる。また、突起部７５０にはバネ７３０からの張力が発生するが、凸部７６０がフラッパ７０３に当接するため、再び隣接ギア７１０は停止する。
【００３７】
隣接ギア７１０の１回転により、給紙ローラ１２０は１回転し、給紙トレイ１１０から用紙が１枚繰り出される。
【００３８】
図３は、本発明の第１の実施形態に係る給紙装置の断面図である。給紙部２００（Ａ）は、給紙ローラ５１０、駆動ギア５２０、レジストローラ５３０、ピニオンギア５４０、リンク部材５５０、支持板５６０及び搬送路５７０から構成されている。給紙部２００（Ａ）は、本発明の給紙装置に相当する。
【００３９】
給紙ローラ５１０は、給紙部２００（Ａ）に軸支されている。図示しない給紙ローラ５１０のギアは、隣接ギア７１０と噛合している。隣接ギア７１０から回転を伝達され、給紙ローラ５１０は、矢印方向である時計回りに回転する。給紙ローラ５１０は、緊合部５５４を有する。緊合部５５４は、給紙ローラ５１０の回転面に対して垂直方向に突出している。緊合部５５４には、リンク部材５５０が長孔５５２で緊合している。給紙ローラ５１０が１回転するごとに、給紙トレイ１１０から１枚ずつ用紙が繰り出される。
【００４０】
駆動ギア５２０は、給紙部２００（Ａ）に軸支されている。駆動ギア５２０は、図示しないモータから回転を供給され、矢印方向である時計回りに常時回転している。図示しないモータは、本発明の駆動源に相当する。
【００４１】
レジストローラ５３０は、給紙部２００（Ａ）に軸支されている。レジストローラ５３０は、搬送路５７０に繰り出された用紙を撓ませる。レジストローラ５３０は、撓んだ用紙を画像形成部３００に搬送する。
【００４２】
ピニオンギア５４０は、支持板５６０に軸支されている。ピニオンギア５４０は、本発明の第１の伝達手段に相当する。ピニオンギア５４０は、駆動ギア５２０と噛合し、矢印方向である反時計回りに常時回転している。
【００４３】
リンク部材５５０は、リンク支持部５５１に揺動自在に支持されている。リンク支持部５５１は、給紙部２００（Ａ）に固定されている。リンク部材５５０の長孔５５２と長孔５５３は、それぞれ緊合部５５４と緊合部５５５とに緊合している。リンク部材５５０は、給紙ローラ５１０の回転によって支持板５６０を揺動させる。
【００４４】
支持板５６０は、駆動ギア５２０の軸支軸と同軸に揺動自在に支持されている。支持板５６０は、本発明の支持部材に相当する。支持板５６０は、ストッパ５６１を支持している。ストッパ５６１は、本発明のブレーキ手段に相当する。支持板５６０は、緊合部５５５を有する。緊合部５５５は、支持板５６０の揺動面に対して垂直方向に突出している。緊合部５５５には、リンク部材５５０の長孔５５３が緊合している。
【００４５】
搬送路５７０には、給紙ローラ５１０とレジストローラ５３０とが接触している。用紙積載部から用紙が給紙ローラ５１０によって１枚ずつ繰り出され、繰り出された用紙は、レジストローラ５３０によって画像形成部３００へ搬送される。
【００４６】
図３（Ａ）は、ピニオンギア５４０がレジストローラ５３０のギアと噛合した状態を表す図である。駆動ギア５２０の回転がピニオンギア５４０に伝達され、さらにレジストローラ５３０に伝達される。レジストローラ５３０は、矢印方向である時計回りに回転する。
【００４７】
給紙ローラ５１０の回転に伴って緊合部５５４が時計回りに移動する。緊合部５５４に緊合しているリンク部材５５０は、給紙ローラ５１０の回転に連動してリンク支持部５５１を中心軸として揺動し、図３（Ｂ）の状態に移行する。
【００４８】
図３（Ｂ）は、ストッパ５６１がレジストローラ５３０のギアと咬合した状態を表す図である。給紙ローラ５１０の回転によって用紙が搬送路５７０に繰り出されてから、用紙の先端がレジストローラ５３０に当接するまでに図３（Ｂ）の状態に移行する。図３（Ｂ）では給紙ローラ５１０は回転しているがレジストローラ５３０は停止しているので、レジストローラ５３０に当接した用紙は所定量撓む。この撓みによって、用紙のスキューが補正される。
【００４９】
図３（Ｂ）の状態から、さらに給紙ローラ５１０が回転すると、図３（Ａ）の状態に移行する。用紙の撓みによってスキュー補正された用紙は、レジストローラ５３０の回転によって画像形成部３００に搬送される。
【００５０】
図４、図５は、本発明の第２の実施形態における給紙装置の断面図である。給紙部２００（Ｂ）は、給紙ローラ６１０、駆動ギア６２０、レジストローラ６３０、ピニオンギア６４０、リンク部材６５０、支持板６６０、ピニオンギア６６１、搬送路６７０及びストッパ６８０から構成されている。給紙部２００（Ｂ）は、本発明の給紙装置に相当する。
【００５１】
給紙ローラ６１０は、給紙部２００（Ｂ）に軸支されている。図示しない給紙ローラ６１０のギアは、隣接ギア７１０と噛合している。隣接ギア７１０から回転を伝達され、給紙ローラ６１０は、矢印方向である時計回りに回転する。給紙ローラ６１０は、緊合部６５４を有する。緊合部６５４は、給紙ローラ６１０の回転面に対して垂直方向に突出している。緊合部６５４には、リンク部材６５０が長孔６５２で緊合している。給紙ローラ６１０が１回転するごとに、給紙トレイ１１０から１枚ずつ用紙が繰り出される。
【００５２】
駆動ギア６２０は、給紙部２００（Ｂ）に軸支されている。駆動ギア６２０は、図示しないモータから回転を供給され、矢印方向である時計回りに常時回転している。図示しないモータは、本発明の駆動源に相当する。
【００５３】
レジストローラ６３０は、給紙部２００（Ｂ）に軸支されている。レジストローラ６３０は、搬送路６７０に繰り出された用紙を撓ませる。レジストローラ６３０は、撓んだ用紙を画像形成部３００に搬送する。
【００５４】
ピニオンギア６４０は、支持板６６０に軸支されている。ピニオンギア６４０は、本発明の第１の伝達手段に相当する。ピニオンギア６４０は、駆動ギア６２０と噛合し、矢印方向である反時計回りに常時回転している。
【００５５】
リンク部材６５０は、リンク支持部６５１に揺動自在に支持されている。リンク支持部６５１は、給紙部２００（Ｂ）に固定されている。リンク部材６５０の長孔６５２と長孔６５３は、それぞれ緊合部６５４と緊合部６５５とに緊合している。リンク部材６５０は、給紙ローラ６１０の回転によって支持板６６０を揺動させる。
【００５６】
支持板６６０は、駆動ギア６２０の軸支軸と同軸に揺動自在に支持されている。支持板６６０は、本発明の支持部材に相当する。支持板６６０は、ピニオンギア６６２を軸支している。支持板６６０は、緊合部６５５を有する。緊合部６５５は、支持板６６０の揺動面に対して垂直方向に突出している。緊合部６５５には、リンク部材６５０の長孔６５３が緊合している。
【００５７】
ピニオンギア６６１は、支持板６６０に支持されている。ピニオンギア６６１は、本発明の第２の伝達手段に相当する。
【００５８】
搬送路６７０には、給紙ローラ６１０とレジストローラ６３０とが接触している。給紙トレイ１１０から用紙が給紙ローラ６１０によって１枚ずつ繰り出され、レジストローラ６３０によって画像形成部３００へ搬送される。
【００５９】
ストッパ６８０は、支持板６６０に支持されている。ストッパ６８０は、本発明の摩擦部材に相当する。ストッパ６８０は、ピニオンギア６４０とピニオンギア６６１との間に位置している。
【００６０】
図４（Ａ）は、ピニオンギア６４０がレジストローラ６３０のギアと噛合している図である。駆動ギア６２０の回転がピニオンギア６４０に伝達され、さらにレジストローラ６３０に伝達される。レジストローラ６３０は、矢印方向である時計回りに回転する。
【００６１】
給紙ローラ６１０の回転に伴って緊合部６５４が時計回りに移動する。緊合部６５４に緊合しているリンク部材６５０は、給紙ローラ６１０の回転に連動してリンク支持部６５１を中心軸として揺動し、図４（Ｂ）の状態に移行する。
【００６２】
図４（Ｂ）は、ストッパ６８０がレジストローラ６３０のギアと咬合している図である。ピニオンギア６４０が離間した後も、レジストローラ６３０は、慣性力によって回転し続ける。ストッパ６８０は、レジストローラ６３０のギアと咬合することによってレジストローラ６３０の慣性力による回転を抑制する働きをもつ。
【００６３】
さらに給紙ローラ６１０が回転すると、図５（Ａ）の状態に移行する。図５（Ａ）は、ピニオンギア６６１がレジストローラ６３０のギアと噛合している図である。駆動ギア６２０の回転がピニオンギア６６２に伝達され、さらにピニオンギア６６１に伝達される。ピニオンギア６６１がレジストローラ６３０のギアと噛合すると、ピニオンギア６６１の回転がレジストローラ６３０に伝達され、レジストローラ６３０は矢印方向である反時計回りに回転する。給紙ローラ６１０の回転によって用紙が搬送路６７０に繰り出されてから、用紙の先端がレジストローラ６３０に当接するまでに図５（Ａ）の状態に移行する。図５（Ａ）では、給紙ローラ６１０は回転しているがレジストローラ６３０は反時計回りに回転しているので、レジストローラ６３０に当接した用紙は所定量撓む。この撓みによって、用紙のスキューが補正される。
【００６４】
図５（Ａ）の状態から、さらに給紙ローラ６１０が回転すると、図５（Ｂ）の状態に移行する。図５（Ｂ）は、ストッパ６８０がレジストローラ６３０のギアと咬合している図である。ピニオンギア６６１が離間した後もレジストローラ６３０は、慣性力によって回転し続ける。ストッパ６８０は、上記と同様の働きをもつ。
【００６５】
図５（Ｂ）の状態から、さらに給紙ローラ６１０が回転すると、図４（Ａ）の状態に移行する。用紙の撓みによってスキュー補正された用紙は、レジストローラ６３０の回転によって画像形成部３００に搬送される。
【００６６】
第２の実施形態では、レジストローラ６３０を正転から逆転、また逆転から正転させるため、本来ならレジストローラ６３０とピニオンギア６４０、ピニオンギア６６１との間に過度の負荷がかかるが、ストッパ６８０によってレジストローラ６３０の回転を規制させることにより、レジストローラ６３０とピニオンギア６４０、ピニオンギア６６１との間の負荷を低減させることができる。
【００６７】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００６８】
【図１】本発明の実施形態に係る給紙装置が適用される画像形成装置の断面図である。
【図２】本発明の実施形態に係る給紙装置の動作機構を表す図である。
【図３】本発明の第１の実施形態に係る給紙装置の断面図である。
【図４】本発明の第２の実施形態に係る給紙装置の断面図である。
【図５】本発明の第２の実施形態に係る給紙装置の断面図である。
【符号の説明】
【００６９】
２００（Ａ）−給紙部（給紙装置）
５１０−給紙ローラ
５３０−レジストローラ
５４０−ピニオンギア（第１の伝達手段）
５５０−リンク部材
５６０−支持板（支持部材）
５７０−搬送路
【図１】
2008308280.tif 000003
【図２】
2008308280.tif 000004
【図３】
2008308280.tif 000005
【図４】
2008308280.tif 000006
【図５】
2008308280.tif 000007